(57)【要約】【課題】雨水等の排水設備内へと排水特性と排水設備内で発生した臭気の脱臭特性とを有しかつ目詰まりの対応や脱臭剤の交換等の保守も効率よく実施することを可能とする。【解決手段】側溝２の開口部４を閉塞して設置される側溝蓋１は、支持枠部材８に表面材を構成する透水プレート９を着脱自在に組み合わせるとともに、支持枠部材８の底面側に脱臭体装填空間部１８を構成してパンチングプレート１０を設け、脱臭体装填空間部１８内に脱臭体１１を着脱自在に装填する。【選択図】  図２
2007070904.tif 000002
【特許請求の範囲】
【請求項１】
支持枠と、この支持枠内に支架した多数本のバー材とを有し、排水設備の開口部を閉塞して設置される支持枠部材と、
透水特性を有してプレート状に形成され、上記支持枠部材の上面側に着脱自在に組み合わされて表面材を構成する透水プレートと、
上記支持枠部材の底面側に、間隔保持手段を介して脱臭体装填空間部を構成する所定の対向間隔を保持して組み合わされた多数個の貫通孔を有する多孔プレートと、
上記支持枠部材と上記多孔プレートとの間に構成された上記脱臭体装填空間部に交換自在に装填され、袋体の内部に脱臭剤を充填してなる脱臭体とを備え、
表面側から上記透水プレートを透過させて表面側から上記排水装置内へと排水を行うとともに、上記脱臭体によって上記排水設備内で発生した臭気を脱臭することを特徴とする透水脱臭蓋装置。
【発明の詳細な説明】
【技術分野】
【０００１】
本発明は、側溝や集水桝或いはマンホール等の排水設備に設けられた排水口を閉塞して設置される蓋体やグレーチング（以下、蓋体と総称する。）に関する。
【背景技術】
【０００２】
排水設備には、雨水等を排水したり内部に溜まった汚泥等を除去するために適宜の間隔を以って開口部が設けられるとともに、これら開口部を閉塞する蓋体が設置される。排水設備には、内部に溜まった汚水等から発生する臭気を脱臭するために、蓋体の内方部に活性炭等の脱臭剤を収納した脱臭ユニットを設置することが提案されている（例えば、特許文献１、特許文献２を参照）。
【０００３】
また、道路等においては、透水性コンクリートを用いて表面舗装を行うことによって、雨水等が路面に溜まることなく内層を透過して排水設備内へと排水されるようにした舗装も行われている。蓋体には、排水設備内に雨水等を排水するために排水用の開口部が形成されるが、歩行者等がこの開口部に足を取られたり自転車のタイヤがはまり込むといった問題がある。蓋体は、このために上述した透水性コンクリートによって形成することで、開口部を無くした対応も図られている。蓋体は、透水性コンクリートとして着色等の対応が可能なレジンコンクリートを用いることによって景観の向上が図られるようにするとともに、機械的強度を保持するためにレジンコンクリート製のプレートを支持枠部材に組み合わせて構成する（例えば、特許文献３、特許文献４を参照）。
【０００４】
【特許文献１】特開平５−１４０９８３号公報
【特許文献２】特開２００５−１９４７７０号公報
【特許文献３】実開平５−３０２８４号公報
【特許文献４】特開平７−３１７１２８号公報
【発明の開示】
【発明が解決しようとする課題】
【０００５】
ところで、特許文献１に開示された除臭装置は、除臭室及び空気弁を備えた除臭ボックスをマンホール蓋の底面部に着脱自在に取り付けて下水道内から発生した臭気ガスを除臭する装置である。かかる除臭装置においては、大型で高価であるとともにマンホール蓋のような充分な機械的強度を有する蓋体に対して取り付けることが可能であり、例えば側溝や集水桝等の比較的小規模の排水設備に適用されるものでは無い。また、除臭装置においては、除臭剤の特性が低下した場合に全体交換の対応が必要であるために、ランニングコストの負担が極めて大きくかつ大型の除臭ボックスの着脱や持ち運びのために保守作業の負担も極めて大きいといった問題がある。
【０００６】
また、特許文献２に開示された臭気止め装置は、マンホール蓋の下方部に位置して、マンホールの内壁に取り付けられる。かかる臭気止め装置は、内壁に取付部を形成したマンホールにのみ取り付けられることから、既存設備に適用することができない。また、臭気止め装置は、マンホール蓋を取り外して内部から引き上げるといった保守作業を行わなければならないために、保守対応が極めて困難であるといった問題もある。
【０００７】
一方、特許文献３や特許文献４に開示された側溝蓋は、歩行者等の歩行性を向上させ、側溝内への砂礫等の流れ込みを防止し、適宜のカラーリングにより周囲の景観との調和が図られる等の種々の特徴を有し多くの地域で採用されている。かかる側溝蓋においては、透水性レジンコンクリート部位が、通気性を有することで側溝内で発生した臭気をそのまま外部へと拡散させることで不快感を与えるといった問題があった。
【０００８】
したがって、本発明は、雨水等の排水設備内へと排水特性と排水設備内で発生した臭気の脱臭特性とを有するとともに、目詰まりの対応や脱臭剤の交換等に対する保守を効率よく実施することが可能な透水脱臭蓋装置を提供することを目的に提案されたものである。
【課題を解決するための手段】
【０００９】
上述した目的を達成する本発明にかかる透水脱臭蓋装置は、排水設備の開口部を閉塞して設置される支持枠部材と、表面材を構成する透水プレートと、脱臭体装填空間部を構成する多孔プレートと、袋体の内部に脱臭剤を充填してなる脱臭体とを備える。透水脱臭蓋装置は、支持枠部材が、排水設備の開口部とほぼ等しい外形寸法を有し、底面側の外周縁を開口部内に形成した受け段部上に載置される支持枠と、多数本のバー材とから構成される。支持枠部材は、各バー材が、支持枠の開口縁からやや段落ちされて両端部が固定される多数本の縦バー材や横バー材或いは縦バー材と横バー材とを格子状に組み合わせてなる多数本のバー材とから構成され、各バー材間に形成された多数個の排水孔から排水設備内へと雨水等を透水させる。
【００１０】
透水脱臭蓋装置は、透水プレートが、透水特性を有してプレート状に形成され、支持枠部材の上面側に着脱自在に組み合わされる。透水プレートは、骨材間に多くの空隙が形成されることによって雨水等を良好に透過させることが可能な透水性コンクリートにより、支持枠部材の支持枠の内部空間とほぼ同形の外形寸法と、段落ちされた各バーと支持枠の開口縁との高さとほぼ等しい厚みに形成される。透水プレートは、例えば結合材として樹脂材（レジン）をセメントに代替したレジンコンクリートが用いられ、レジンや骨材に適宜の着色処理を施してカラー化が図られたものが用いられる。なお、透水プレートは、機械的強度を保持するために芯材として鉄筋を用いるようにしてもよい。透水プレートは、各バー上に落とし込まれるようにして支持枠の内部空間内に組み合わされ、また骨材間に砂礫等が詰まって透水作用が劣化した場合には支持枠部材から取り外してクリーニングを行うことも可能である。
【００１１】
透水脱臭蓋装置は、多孔プレートが、多数個の貫通孔が形成され、支持枠部材の底面側に間隔保持手段を介して組み合わされる。多孔プレートは、例えば耐腐食性に優れたステンレス薄板にパンチング加工を施して多数個の貫通孔を形成したパンチングプレートや、ステンレス線材を編んで形成したネット板等が用いられる。多孔プレートは、排水設備の開口寸法よりもやや小さな外形に形成され、例えば四隅に所定の高さを有するスタッドが立設される。多孔プレートは、各スタッドの上端部を溶接等により支持枠部材の支持枠の底部にそれぞれ固定され、各バー材との間に所定の対向間隔が保持されて脱臭体装填空間部を構成する。
【００１２】
透水脱臭蓋装置は、脱臭体が、例えば透水袋やネット等からなる袋体の内部に粒体或いは塊体からなる適宜の脱臭剤を充填して脱臭体装填空間部の高さよりもやや薄厚とされたシート体からなる。脱臭体は、支持枠部材と多孔プレートとの間に構成された脱臭体装填空間部に開放された側面から挿脱することによって交換自在に装填される。脱臭体は、所定期間が経過したり脱臭剤による脱臭作用が低下した場合に、透水脱臭蓋装置を排水設備から取り外して交換することが可能である。なお、脱臭体は、例えばバンドやフック等の治具によって多孔プレートに固定するようにしてもよく、また脱臭体装填空間部の高さ範囲で例えばブロック状に形成されてもよい。
【００１３】
透水脱臭蓋装置においては、支持枠部材が、支持枠の底面側の外周縁を開口部内に形成した受け段部上に載置することによって排水設備の開口部を閉塞して設置される。透水脱臭蓋装置においては、透水プレートが、路面から雨水等をその内層に形成された空隙から排水設備内へと排水する排水口機能を奏する。透水脱臭蓋装置においては、所定の色調や模様等を付されて支持枠部材に組み合わされた透水プレートが、周囲の景観とマッチして独自の雰囲気を醸し出すようにするとともにバリアフリー構造を構成して歩行者等が安全に通行することを可能とする。
【００１４】
透水脱臭蓋装置においては、支持枠部材に透水プレートを組み合わせたことによって排水設備の内部で発生した臭気が透水プレートの空隙を通して外部へと漏れ出ようとする。透水脱臭蓋装置においては、支持枠部材の底面部に多孔プレートとによって脱臭体装填空間部を構成して脱臭体を装填したことにより、この脱臭体によって排水設備内で発生した臭気を効率よく脱臭し、良好な環境が保持されるようにする。
【発明の効果】
【００１５】
以上のように構成された本発明にかかる透水脱臭蓋装置によれば、排水口機能を奏する透水プレートを介して雨水等を透過させて排水設備内への排水を行うとともに、脱臭体により排水設備内で発生した臭気を脱臭する。透水脱臭蓋装置によれば、支持枠部材に対して透水プレートや脱臭体が着脱自在であることから透水プレートの目詰まりや脱臭体の交換等の保守も効率よく実施することが可能であり、透水特性と脱臭特性とが長期間に亘って保持することが可能である。透水脱臭蓋装置によれば、簡易な構造であることから極めて廉価であるとともに脱臭体の交換により機能回復が図られることでランニングコストの負担も小さく、また既存の排水設備に対しても手直し等を行うことなくそのまま適用することが可能である。
【発明を実施するための最良の形態】
【００１６】
以下、本発明にかかる透水脱臭蓋装置の実施の形態として図面に示した側溝蓋１について詳細に説明する。側溝蓋１は、図１に示すように道路の路肩に沿って敷設された側溝２において、側溝本体ブロック３に対してその開口部４を閉塞して設置される。側溝２は、基本的な構造として１個の側溝本体ブロック３に１個の側溝蓋１が設置されるが、いわゆる長尺蓋として例えば２個の側溝本体ブロック３に跨って１個の側溝蓋１が設置されることもある。なお、本発明は、側溝蓋１に限定されるものでは無く、例えば側溝２の途中箇所で所定の間隔を以って設置される集水桝の蓋体等にも適用される。
【００１７】
側溝２は、周知のように例えば車道と歩道とを区分して路肩に沿って設置した縁石ブロックに沿って敷設される。側溝２は、路肩に沿って所定の深さを有する敷設溝を掘削する工程と、この敷設溝の底部に基礎砕石を投入して転圧することにより基礎層を形成する工程と、この基礎層上にコンクリートを打設して基礎コンクリート層を形成する工程と、この基礎コンクリート層上に所定の勾配を付すようにして調整モルタル層を形成する工程等を経て、側溝本体ブロック３が長さ方向に並べられて設置される。
【００１８】
側溝本体ブロック３は、周知のＵ字溝であって、底面部５と、この底面部５から相対して立設され上方部位に開口部４を構成する側面部６、７とが一体に形成されてなる。側溝本体ブロック３は、図２に示すように側面部６、７の上端部の内壁にそれぞれ開口部４から所定の高さ位置において受け段部６Ａ、７Ａが形成されており、これら受け段部６Ａ、７Ａ上に後述するように開口部４を閉塞するようにして側溝蓋１が設置される。
【００１９】
なお、側溝２は、全て上述した側溝本体ブロック３を並べて設置するばかりでなく、内部が暗渠とされた横長矩形の筒状ブロック体を長さ方向に並べて設置するとともに所定の間隔を以って側溝本体ブロック３を途中に並べるようにしたものであってもよい。
【００２０】
側溝蓋１は、図１及び図２に示すように、積層状態に組み合わされた支持枠部材８と、透水プレート９と、パンチングプレート１０とを備えるとともに、複数個の脱臭体１１が用いられて構成される。支持枠部材８は、耐腐食性や充分な機械的強度を有する素材、例えばステンレス材や強化プラスチック等を素材として支持枠１２と多数本の縦バー材１３及び横バー材１４とが一体に形成され、従来のグレーチングとほぼ同等の部材からなる。支持枠部材８は、支持枠１２が、側溝本体ブロック３とほぼ等しい長さと開口部４の開口幅とほぼ等しい幅と受け段部６Ａ、７Ａの高さとほぼ等しい厚みを有する横長矩形の枠体によって構成される。
【００２１】
支持枠部材８は、各縦バー材１３と各横バー材１４とが、支持枠１２の縦梁部と横梁部に対してそれぞれの上端縁からやや段落ちされて両端部を固定され、支持枠１２の内部において格子状に組み合わされて一体に形成される。支持枠部材８は、各縦バー材１３と各横バー材１４との間に構成される多数個の開口部位が、透水プレート９を透過した雨水等を側溝本体ブロック３内に流し込む排水孔１５を構成する。
【００２２】
以上のように構成された支持枠部材８は、側溝本体ブロック３に対して、支持枠１２の底面部を受け段部６Ａ、７Ａ上に載置することによって支持枠１２の上端部が側面部６、７の上端部と略同一面を構成して組み合わされる。支持枠部材８は、ガタ付きの防止や面合わせのために、例えば底面部と受け段部６Ａ、７Ａとの間にゴムシート等からなるパッキン材を敷き込んで載置するようにしてもよい。支持枠部材８には、各縦バー材１３と各横バー材１４とに支持されるようにして透水プレート９が組み付けられる。
【００２３】
透水プレート９は、層内に多数個の空隙が形成されることによって多孔性とされ、表面から雨水等を透過させることが可能ないわゆる透水コンクリートによって形成される。透水プレート９は、支持枠１２の内形寸法とほぼ同等の外形寸法を有するとともに支持枠１２の上端部と各縦バー材１３と各横バー材１４の上端部との高さとほぼ等しい厚みを有する横長矩形のプレート体からなる。透水プレート９は、透水コンクリートとして骨材を結合する結合材にセメントに代えて多孔質のポリマアスファルト材を用いたレジンコンクリートによって形成される。
【００２４】
透水プレート９は、骨材として小石ばかりでなくガラス粒やセラミック粒等を用いることが可能である。また、透水プレート９は、ポリマアスファルト材を着色することによって適宜の色調にカラー化することが可能である。さらに、透水プレート９は、カラーリングばかりでなく、表面に適宜の模様等を形成することも容易に対応可能である。なお、透水プレート９は、骨材の脱落を防止して機械的強度の向上を図るために、芯材として鉄筋やステンレス材を用いるようにしてもよい。
【００２５】
以上のように構成された透水プレート９は、支持枠１２に囲まれた内部空間に落とし込まれて各縦バー材１３と各横バー材１４上に支持されることによって、支持枠部材８に組み付けられる。透水プレート９は、この状態で表面が支持枠１２の上縁部、換言すれば側溝本体ブロック３の側面部６、７の上端部と略同一面とされて表面材を構成する。透水プレート９は、適宜のカラーリングによって側溝２が周囲の景観との調和が図られるようにするとともに大きな面積を占めることでその印象を強調する。
【００２６】
透水プレート９は、上述したように雨水等を透過させる機能を有することから、側溝蓋１に雨水等を側溝本体ブロック３内に流し込むための開口部を不要とする。透水プレート９は、開口部によって歩行者等が足を取られたり、自転車のタイヤをはまり込ませたり、砂礫等が流れ込んで側溝本体ブロック３を詰まらせたりする等の問題を生じさせることは無い。透水プレート９は、比較的軽量であるとともに上述したように支持枠１２に落とし込んで組み付けることによって支持枠部材８に対して着脱自在である。したがって、透水プレート９は、砂礫等が入り込んで空隙が詰まって透水作用が劣化した場合でも支持枠部材８から取り外して水洗い等によるクリーニングを行うことが可能であるとともに、一部が破損しても部分交換によって補修の対応が可能である。
【００２７】
パンチングプレート１０も、耐腐食性を有する素材、例えばステンレス薄板や強化プラスチック板等を素材として、パンチング加工を施して厚み方向に貫通する多数個の小孔１６を全体に亘って形成してなる。パンチングプレート１０は、支持枠部材８の外形寸法よりもやや小さな外形寸法、すなわち、側溝本体ブロック３の内壁間隔よりもやや小さな幅寸法で形成される。パンチングプレート１０は、小孔１６によって支持枠部材８の排水孔１５から落下する雨水等を側溝本体ブロック３内へと排水する。
【００２８】
パンチングプレート１０には、少なくとも四隅に位置して所定の高さを有するスタッド１７が一体に立設される。各スタッド１７も、耐腐食性を有するステンレス棒等が用いられ、それぞれの上端部が支持枠１２の底面部に溶接によって固定されることによってパンチングプレート１０を支持枠部材８に一体化する。パンチングプレート１０は、これにより支持枠部材８の各縦バー材１３及び各横バー材１４に対して各スタッド１７の高さ寸法に応じた間隔を以って対向し、四方が開放された脱臭体装填空間部１８を構成する。
【００２９】
なお、パンチングプレート１０は、歩行者や車両の重量を支える機械的強度を不要とする部材であることから、例えばステンレス線材を編んで形成したネットの外周部を枠材に固定した部材であってもよい。また、パンチングプレート１０は、溶接を施すことができない合成樹脂材で成形した場合に、支持枠部材８に対して所定の対向間隔を保持して固定される適宜のフック部を一体に形成するようにしてもよい。
【００３０】
脱臭体１１は、例えば透水袋やネット等からなる袋体１９の内部に粒体或いは塊体からなる適宜の脱臭剤２０を充填して、脱臭体装填空間部１８の高さよりもやや薄厚とされたシート体からなる。脱臭体１１には、脱臭剤２０として、例えば廉価で比較的長期間に亘って大きな脱臭特性が保持される活性炭が用いられる。
【００３１】
脱臭体１１は、適宜の個数が、開放された側方から脱臭体装填空間部１８内に装填される。脱臭体１１は、脱臭効率を高めるために、パンチングプレート１０上に全面に亘って敷き詰めるようにして装填することが好ましい。脱臭体１１は、脱臭体装填空間部１８内に装填された状態で、図示しないバンドやフック等の適宜の固定治具によってパンチングプレート１０上に固定される。
【００３２】
脱臭体１１は、所定期間が経過したり、例えば袋体１９が汚泥等によって覆われて脱臭剤２０による脱臭作用が著しく低下した場合等において、パンチングプレート１０から固定治具が取り外されて脱臭体装填空間部１８から取り出される。脱臭体１１は、脱臭体装填空間部１８から極めて簡単な操作によって取り出しと交換とが行われる。
【００３３】
脱臭体１１は、例えばバラの状態で脱臭体装填空間部１８に収納することも可能ではある。しかしながら、脱臭体１１は、上述したように脱臭剤２０を袋体１９に袋詰めしたものを用いることによって、脱臭体装填空間部１８に対する挿脱操作が簡便となるとともに大雨等によって側溝本体ブロック３内をあふれるように雨水が流れた場合でも脱臭体装填空間部１８から流れ出すことが防止されて、側溝本体ブロック３を詰まらせてしまうことも無い。
【００３４】
以上のように構成された側溝蓋１は、脱臭体装填空間部１８内に脱臭体１１を装填した状態で、相対する側溝本体ブロック３に設置される。側溝蓋１は、側溝本体ブロック３の開口部４から落とし込まれることによって、支持枠部材８が支持枠１２の底面側の外周縁を開口部４を構成する側面部６、７に形成した受け段部６Ａ、７Ａ上に載置されることによって図２に示すように開口部４を閉塞して側溝本体ブロック３に設置される。
【００３５】
側溝蓋１は、支持枠部材８に組み付けられた透水プレート９が側溝本体ブロック３や道路面等と略同一面を構成することから、路上にバリアフリー構造を構成して歩行者等の安全通行を可能とする。側溝蓋１は、適宜の色調や模様等を付された比較的大きな幅を有する透水プレート９が車道を縁取るようにして連続して続くことから、周囲の景観とマッチした独自の雰囲気を醸し出すようにする。
【００３６】
側溝蓋１においては、支持枠部材８と一体に設けられて脱臭体装填空間部１８を構成するパンチングプレート１０が側溝本体ブロック３内に吊り下げられた状態を呈して延在して、脱臭体１１をこの側溝本体ブロック３内に臨ませる。側溝蓋１においては、側溝本体ブロック３内で発生した臭気を脱臭体１１によって脱臭して透水プレート９を介して放出する。したがって、側溝蓋１においては、側溝本体ブロック３内に汚水等が流れる場合でも周辺が良好な環境に保持されるようにする。
【００３７】
側溝蓋１においては、透水プレート９によって路面から雨水等をその内層に形成された空隙を介して側溝本体ブロック３内へと排水されるようにする。側溝蓋１においては、透水プレート９を備えることによって上述したように排水開口を不要とし、バリアフリー構造の利点を一層高める。
【００３８】
側溝蓋１においては、支持枠部材８に対して透水プレート９が着脱自在に組み合わされることによって、目詰まり等による透水プレート９の透水特性が劣化したり一部が破損して交換を行う等の保守対応が極めて簡単に行われる。側溝蓋１においては、側溝２の定期保守等が実施される場合に、従来と同様にして側溝本体ブロック３からの取り外しが行われる。側溝蓋１においては、この定期保守の作業に合わせて脱臭体装填空間部１８に装填された脱臭体１１の交換も行われる。側溝蓋１においては、特殊な治具等を不要として、脱臭体装填空間部１８から古い脱臭体１１が取り出された後に新しい脱臭体１１が装填される。側溝蓋１においては、嵩張りの小さい脱臭体１１を簡単な操作によって交換することで作業性の大幅な向上が図られるようにする。
【図面の簡単な説明】
【００３９】
【図１】本発明の実施の形態として示す側溝の要部分解斜視図である。
【図２】同側溝の断面図である。
【符号の説明】
【００４０】
１  側溝蓋、２  側溝、３  側溝本体ブロック、４  開口部、５  底面部、６，７  側面部、６Ａ，７Ａ  受け段部、８  支持枠部材、９  透水プレート、１０  パンチングプレート、１１  脱臭体、１２  支持枠、１３  縦バー材、１４  横バー材、１５  排水孔、１６  小孔、１７  スタッド、１８  脱臭体装填空間部、１９  袋体、２０  脱臭剤
【図１】
2007070904.tif 000003
【図２】
2007070904.tif 000004